(57)【特許請求の範囲】
【請求項１】
車軸に連結する駆動部材と軸受で回動自在に支持されたホイールハブに連結する従動部材とを内外に回転可能に嵌合させ、前記駆動部材と従動部材の間に、圧力流体によって駆動部材と従動部材とを結合する位置と切り離す位置とに移動させるための結合部材を設け、この結合部材の両側に設けた２つの気密室にそれぞれ圧力流体を給排する２つの通路を形成したハブクラッチ装置において、前記２つの気密室がそれぞれエア源に接続されており、前記ホイールハブを支持する軸受内に生じる空間を、一方の気密室に連通する通路として使用し、前記車軸の外周面に、他方の気密室に連通する通路を形成したことを特徴とするハブクラッチ装置。
【請求項２】
車軸に連結する駆動部材と軸受で回動自在に支持されたホイールハブに連結する従動部材とを内外に回転可能に嵌合させ、前記駆動部材と従動部材の間に、圧力流体によって駆動部材と従動部材とを結合する位置と切り離す位置とに移動させるための結合部材を設け、この結合部材に結合する位置へ向けての移動弾性を付勢し、前記結合部材の切り離し位置をマグネットの吸着によって保持するようにし、前記結合部材の両側に設けた２つの気密室にそれぞれ圧力流体を給排する２つの通路を形成したハブクラッチ装置において、前記２つの気密室がそれぞれエア源に接続されており、前記ホイールハブを支持する軸受内に生じる空間を、一方の気密室に連通する通路として使用し、前記車軸の外周面に、他方の気密室に連通する通路を形成したことを特徴とするハブクラッチ装置。
【請求項３】
車軸に連結する駆動部材と軸受で回動自在に支持されたホイールハブに連結する従動部材とを内外に回転可能に嵌合させ、その駆動部材と従動部材の間に、駆動部材と従動部材が相対回転したときにその両部材間に係合する係合子と、駆動部材と従動部材に対して相対回転可能な係合子の保持器とを組込み、この保持器に、係合子が係合作動位置に移動するように保持器を駆動部材に対して相対回転させる回転力付与手段を連結し、保持器と従動部材の間に、流体の圧力によって保持器と従動部材とを結合する位置と切り離す位置とに移動させるための結合部材を設け、この結合部材に結合する位置と切り離す位置との何れか一方をスプリングの押圧弾性によって保持し、他方をマグネットの吸着によって保持するようにし、前記結合部材の両側に設けた２つの気密室にそれぞれ圧力流体を給排する２つの通路を形成したハブクラッチ装置において、前記２つの気密室がそれぞれエア源に接続されており、前記ホイールハブを支持する軸受内に生じる空間を、一方の気密室に連通する通路として使用し、前記車軸の外周面に、他方の気密室に連通する通路を形成したことを特徴とするハブクラッチ装置。
【発明の詳細な説明】
【０００１】
【発明の属する技術分野】
この発明は、４輪駆動車の前輪に取付け、車軸とホイールハブの間で圧力流体の制御により駆動力の伝達と遮断を切り換えるハブクラッチ装置、更に詳しくは、圧力流体の給排を行なう経路の構造に関する。
【０００２】
【従来の技術】
パートタイム式の４輪駆動車においては、前輪ハブと車軸の間にハブクラッチ装置を組込み、ホイールに対する駆動力の伝達状態を切り換えるようにしている。
【０００３】
従来のハブクラッチ装置は、車軸に嵌合したスライドギヤを軸方向に移動自在とし、このギヤをホイールハブに対して係脱させ、係合時に車軸とホイールハブを直結した４輪駆動状態とし、離脱時は２輪駆動状態となる構造を有し、この駆動の切り換えには、圧力流体、例えばエア圧力を使用するようになっている。
【０００４】
【発明が解決しようとする課題】
ところで、エア圧力でスライドギヤを移動させて駆動の切り換えを制御するには、エア経路を車体に設けられたエア供給源と気密室との間に形成する必要があり、ホイールハブを回転自在に支持する軸受の外側にこれらの経路を設けるようにすると、加工が複雑となり、コスト的に高くなると共に、ハブクラッチ装置の断面径が大きくなるという問題がある。
【０００５】
そこで、この発明の課題は、駆動部材と従動部材の結合と切り離しを行なう圧力流体の経路の１つに軸受の内部を利用すると共に、他の経路を車軸の外周面に形成し、製作面、コスト面で有利となり、断面径を小さくすることができるハブクラッチ装置を提供することにある。
【０００６】
【課題を解決するための手段】
上記の課題を解決するため、請求項１の発明は、車軸に連結する駆動部材と軸受で回動自在に支持されたホイールハブに連結する従動部材とを内外に回転可能に嵌合させ、前記駆動部材と従動部材の間に、圧力流体によって駆動部材と従動部材とを結合する位置と切り離す位置とに移動させるための結合部材を設け、この結合部材の両側に設けた２つの気密室にそれぞれ圧力流体を給排する２つの通路を形成したハブクラッチ装置において、前記２つの気密室がそれぞれエア源に接続されており、前記ホイールハブを支持する軸受内に生じる空間を、一方の気密室に連通する通路として使用し、前記車軸の外周面に、他方の気密室に連通する通路を形成する構成を採用したものである。
【０００７】
請求項２の発明は、車軸に連結する駆動部材と軸受で回動自在に支持されたホイールハブに連結する従動部材とを内外に回転可能に嵌合させ、前記駆動部材と従動部材の間に、圧力流体によって駆動部材と従動部材とを結合する位置と切り離す位置とに移動させるための結合部材を設け、この結合部材に結合する位置へ向けての移動弾性を付勢し、前記結合部材の切り離し位置をマグネットの吸着によって保持するようにし、前記結合部材の両側に設けた２つの気密室にそれぞれ圧力流体を給排する２つの通路を形成したハブクラッチ装置において、前記２つの気密室がそれぞれエア源に接続されており、前記ホイールハブを支持する軸受内に生じる空間を、一方の気密室に連通する通路として使用し、前記車軸の外周面に、他方の気密室に連通する通路を形成する構成を採用したものである。
【０００８】
請求項３の発明は、車軸に連結する駆動部材と軸受で回動自在に支持されたホイールハブに連結する従動部材とを内外に回転可能に嵌合させ、その駆動部材と従動部材の間に、駆動部材と従動部材が相対回転したときにその両部材間に係合する係合子と、駆動部材と従動部材に対して相対回転可能な係合子の保持器とを組込み、この保持器に、係合子が係合作動位置に移動するように保持器を駆動部材に対して相対回転させる回転力付与手段を連結し、保持器と従動部材の間に、流体の圧力によって保持器と従動部材とを結合する位置と切り離す位置とに移動させるための結合部材を設け、この結合部材に結合する位置と切り離す位置との何れか一方をスプリングの押圧弾性によって保持し、他方をマグネットの吸着によって保持するようにし、前記結合部材の両側に設けた２つの気密室にそれぞれ圧力流体を給排する２つの通路を形成したハブクラッチ装置において、前記２つの気密室がそれぞれエア源に接続されており、前記ホイールハブを支持する軸受内に生じる空間を、一方の気密室に連通する通路として使用し、前記車軸の外周面に、他方の気密室に連通する通路を形成する構成を採用したものである。
【０００９】
ここで、結合部材を移動させる流体はエアの負圧又は正圧を使用し、４輪駆動と２輪駆動の切り換え時にのみ結合部材に作用させ、切り換わった後は大気圧に戻す。４輪駆動状態はスプリングの押圧弾性によって保持し、２輪駆動状態は従動部材の蓋又は駆動部材に対するマグネットの吸着力によって保持する。
【００１０】
また、駆動部材と外輪間に組み込んだ係合子は、４輪駆動時に、車軸の回転を前輪ハブに伝えると共に、前輪ハブの回転が車軸を上回ったとき、フリーランニング機能を停止し、エンジンブレーキが効く。
【００１１】
【発明の実施の形態】
以下、この発明の実施の形態を、図示例と共に説明する。
【００１２】
図１と図２に示す第１の実施形態において、１はハブクラッチ装置、２は４輪駆動車の前輪車軸であり、この前輪車軸２は、車両の駆動系と連結した等速ジョイント３の軸部より成っている。
【００１３】
上記前輪車軸２にはスピンドル４が外嵌し、車両のナックル５に該スピンドル４が固定支持されていると共に、スピンドル４がテーパ軸受６、７を介してホイールハブ８を回動自在に支持している。
【００１４】
前輪車軸２の先端部には、ハブクラッチ装置１の駆動部材である内輪９が、セレーション溝１０を介して、回転が一体で軸方向に移動自在となるよう外嵌挿され、この内輪９の外側に、従動部材となる外輪１３が回転可能に外嵌し、この外輪１３は後部端面が複数のボルト１４によってホイールハブ８の端面に固定され、前記内輪９の外周面に外歯歯車１５を設けると共に、外輪１３の内周面に前記外歯歯車１５が噛合及び離脱自在となる内歯歯車１６が設けられている。
【００１５】
上記外輪１３の内部で先端側の位置に軸方向への移動が自在となるようシールリング１７を介して嵌合したスライダー１８が、前記内輪９と軸方向に一体動するよう固定化され、このスライダー１８と蓋１９の対向面間に、内輪９を後退側の位置に常時押圧するスプリング２０が縮設され、外輪１３内はスライダー１８によって両側に遮蔽された二つの気密室２１と２２になっている。
【００１６】
前記スライダー１８の外面側中央に、内輪９が前進側の位置にあるとき蓋１９に吸着し、外歯歯車１５が内歯歯車１６から離脱した状態を保持するマグネット２３がケース２４を介して固定されている。
【００１７】
また、蓋１９に設けたフェールセーフ機構は、蓋１９の中心部に固定したピンケース２５でピン２６を軸方向に移動自在となるよう支持し、このピン２６を押し込むことによりマグネット２３を蓋１９から引き離し、スプリング２０によりスライダー１８と内輪９を移動させ、外歯歯車１５を内歯歯車１６に噛合させるようになっている。
【００１８】
前記スライダー１８を移動させて２輪駆動と４輪駆動の切り換えを制御するため、ハブクラッチ装置１には、気密室２１、２２に対して個々に連通する２経路のエア通路２７、２８が設けられている。
【００１９】
外側の気密室２１と連通する第１のエア通路２７は、外輪１３に軸方向へ貫通するよう設けた通路２７ａと、この通路２７ａの先端と外側の気密室２１を接続するよう蓋１９に設けた切欠部２７ｂと、スピンドル４とホイルハブ５の間に設けられ、前記通路２７ａの後端と連通する間隔２７ｃと、この間隔２７ｃ内に組込まれたテーパ軸受６、７の内部空間と、スピンドル４の後端に隙間２７ｃと連通するように設けた通路２７ｄとによって形成され、通路２７ｄに接続したエア配管２９が、４輪駆動車のトランスファ等からの遠隔操作によって負圧又は正圧のエアの給排を切り換えるエア源（図示省略）に接続されている。
【００２０】
また、内側の気密室２２と連通する第２のエア通路２８は、前輪車軸２の外周面とスピンドル４の嵌合面間の隙間２８ａと、この隙間２８ａの後端と連通するよう、スピンドル４の後端部に設けた通路２８ｂとで形成され、隙間２８ａは先端が気密室２２と連通し、通路２８ｂに前記と同様のエア配管３０が接続されている。
【００２１】
上記両気密室２１、２２は、スピンドル４の先端に螺合固定したナット３１と、このナット３１と外輪１３の内周面の間に設けたオイルシール３２によって気密保持され、両通路２７と２８は遮蔽されている。
【００２２】
このように、２経路の通路の形成において、第１の通路２７を軸受６、７の内部を通って形成し、第２の通路２８を軸受６、７の内輪よりも内側に形成することにより、軸受６、７の内部隙間及び車軸２とスピンドル４間の隙間を有効に利用でき、通路を別途加工する必要がないという利点がある。
【００２３】
第１の実施形態のハブクラッチ装置は上記のような構成であり、４輪駆動時は、図２に示すように、スライダー１８と内輪９を後方に移動させ、外歯歯車１５を内歯歯車１６に噛合させる。
【００２４】
これにより、前輪車軸２と外輪１３が直結された４輪駆動状態になり、エンジンブレーキも前後輪で同時に効かせることができる。
【００２５】
また、上記４輪駆動状態から２輪駆動状態に切り換えるには、外側の気密室２１内のエアを吸引し、スライダー１８に作用する負圧により、スプリング２０に打ち勝って該スライダー１８と内輪９を外方に移動させ、マグネット２３を蓋１９に吸着させることにより、外歯歯車１５を内歯歯車１６から離脱させればよい。
【００２６】
上記のように、２輪駆動状態と４輪駆動の状態の切り換えは、スライダー１８の両側の気密室２１又は２２の何れかに負圧又は正圧を作用させればよいと共に、２輪駆動状態はマグネット２３の蓋１９に対する吸着によって保持し、４輪駆動状態はスプリング２０の押圧力によって保持する。
【００２７】
従って、切り換え動作後において、負圧又は正圧を作用させる必要はなく、切り換わった後はエア通路を大気圧に戻るように設定できるので、ハブ部やスピンドル部のシールに作用する圧力が短時間ですみ、ハブ部やスピンドル部のシールの耐久性を向上させることができる。
【００２８】
図３乃至図１０に示す第２の実施形態において、１はハブクラッチ装置、２は４輪駆動車の前輪車軸であり、この前輪車軸２は、車両の駆動系と連結した等速ジョイント３の軸部より成っている。
【００２９】
上記前輪車軸２にはスピンドル４が外嵌し、車両のナックル５に該スピンドル４が固定支持されていると共に、スピンドル４がテーパ軸受６、７を介してホイールハブ８を回動自在に支持している。
【００３０】
前輪車軸２の先端部には、図４と図５に示すように、ハブクラッチ装置１の駆動部材である内輪９が、セレーション溝１０を介して、回転が一体で軸方向に移動自在となるよう外嵌挿され、この内輪９の外側に、従動部材となる外輪１３が回転可能に外嵌し、この外輪１３は後部端面が複数のボルト１４によってホイールハブ８の端面に固定され、この外輪１３の内周面と前記内輪１１の間に、二方向クラッチ４１が組み込まれている。
【００３１】
この二方向クラッチ４１は、図７乃至図９に示すように、外輪１３の内径面と内輪９の外径面が同芯の円筒面４２、４３に形成され、その両円筒面４２、４３の間に大径保持器４４と小径保持器４５が組み込まれている。
【００３２】
上記大径保持器４４は、図４及び図５に示すように、外輪１３と内輪９に対して相対回転可能に収納され、一方、小径保持器４５は、先端部に、内径側に向かって屈曲する屈曲部４６が形成され、その屈曲部４６が内輪９の端面にすべり接触しており、この屈曲部４６に、皿バネから成る圧着バネ４７が圧着している。この圧着バネ４７は、屈曲部４６を内輪９の端面に向かって押圧しており、その押圧力によって生じる摩擦力により小径保持器４５を内輪９に保持している。なお、図中の４８は圧着バネ４７を止める止め輪である。
【００３３】
また、上記大径保持器４４と小径保持器４５の周面には、図９に示すように、径方向に対向して複数のポケット４９、５０が形成され、その各ポケット４９、５０に、係合子としてのスプラグ５１と、スプラグ５１を保持するバネ５２とが組込まれている。
【００３４】
このスプラグ５１は、外径側と内径側に、それぞれ異なった曲率中心をもつ左右対称形の円弧面５３と５３ａが形成され、左右の両方向に所定角度傾くと両円筒面４２、４３と係合し、外輪１３と内輪９を一体化する。また、バネ５２は、大径保持器４４に一端が支持されてスプラグ５１を両側から押圧し、各スプラグ５１を円筒面４２、４３と係合しない中立する位置に保持している。
【００３５】
上記大径保持器４４及び小径保持器４５の周面には、図８の如く、それぞれ径方向に貫通するスリット５４、５５が形成され、そのスリット５４、５５に、Ｃ字形のリング形状をしたスイッチバネ５６の両端部が係合している。このスイッチバネ５６は、周方向に縮められた状態でセットされ、一端を大径保持器４４に、他端を小径保持器４５に押し付けて取付けられており、そのバネ力によって両保持器４４、４５に円周方向の力を与えている。
【００３６】
ここで、上記スイッチバネ５６のバネ力により、両保持器４４、４５とスプラグ５１は、回転の一方向の噛み合い位置でスタンバイの状態となっている。上記の構造では、スイッチバネ５６が大径保持器４４に一方向の回転力を付与する回転力付与手段を構成する。
【００３７】
上記二方向クラッチ４１の外輪１３内と内輪９の後端部間に支持メタル５７を組み込み、この二方向クラッチ４１の内輪９の後端とテーパ軸受６の間に、スピンドル４に外嵌するナット５８を設け、このナット５８と外輪１３の後端部内周面との間に後述する二つの気密室の気密保持を行なうオイルシール５９が組み込まれている。
【００３８】
前記外輪１３の先端面に、この先端面を密閉する蓋６０が固定され、蓋６０は外輪１３内に丁度嵌合する円筒状で外端側が閉鎖されたシリンダ部６１を有し、このシリンダ部６１内に円形リング状のスライダー６２が外周に嵌着したシールリング６３を介して軸方向に摺動するよう収納され、このスライダー６２によってその両側に遮蔽された二つの気密室６４と６５を形成している。
【００３９】
前記二方向クラッチ４１における大径保持器４４の先端部に、図６の如く、円周方向に所定の間隔でギヤ歯６６が形成され、また、蓋６０のシリンダ部６１における後端部に同様の条件でギヤ歯６７が形成され、更にスライダー６２の後端部外周に、上記両ギヤ歯６６、６７にわたって噛合すると共に、蓋６０のギヤ歯６７に沿って移動自在となるギヤ歯６８が設けられている。
【００４０】
従って、スライダー６２が前方に移動すると、スライダー６２のギヤ歯６８は、大径保持器４４のギヤ歯６６と蓋６０のギヤ歯６７の両者にわたって噛合し、スライダー６２を介して大径保持器４４と蓋６０（即ち外輪１３）を一体に結合すると共に、スライダー６２が後方に移動すると、大径保持器４４と蓋６０の結合を解くことになる。
【００４１】
上記スライダー６２と、二方向クラッチ４１の先端面に配置したリング状受座金６９との間に、スライダー６２を常時先端側に押圧し、大径保持器４４と蓋６０の結合を解いた位置を保持するスプリング７０が縮設させ、このスライダー６２の後端で内輪９の先端面と対向する位置に、マグネット７１が固定されている。
【００４２】
このマグネット７１は、スライダー６２が後方に移動し、そのギヤ歯６８が、大径保持器４４と蓋６０のギヤ歯６６、６７に噛合しない結合を解く位置にあるとき、内輪９に吸着して結合を解く位置を保持するようになっており、このとき、マグネット７１は、圧縮したスプリング７０の反発力に打ち勝ってスライダー６２を保持する磁力に設定されている。
【００４３】
前記スライダー６２を移動させて２輪駆動状態と、４輪駆動状態の切り換えを行なうため、ハブクラッチ装置１に設けた２経路のエア通路２７、２８は、先に述べた第１の実施形態と同じであるので、同一部分に同一符号を付すことによって説明に代える。
【００４４】
前記蓋６０の内面中心部に円軸７２を突設し、内輪９の先端部内側をメタル７３を介して円軸７２で支持していると共に、上記スライダー６２の内径はこの円軸７２に嵌合し、その内周面には円軸７２に摺接するシールリング７４が嵌着してある。
【００４５】
前記蓋６０の外面中心部にフェールセーフ用のボタンねじ７５が回転可能に取り付けられ、円軸７２を囲む周囲の複数箇所には、蓋６０とスライダー６２を軸方向に移動自在となるよう気密状に貫通する複数のピン７６が配置され、各ピン７６の後端はスライダー６２との軸方向への係合端部になっていると共に、各ピン７６の先端はボタンねじ７５の外周面に形成した送りねじに嵌合するねじ頭部を有し、ボタンねじ７５の回転操作により各ピン７６を軸方向に移動させるようになっている。
【００４６】
各ピン７６は後退動位置にあるとき、スライダー６２の前後動に干渉しないと共に、スライダー６２のマグネット７１が内輪９に吸着した２輪駆動状態時に、エア通路等でのエアもれで故障した場合、ドライバーがボタンねじ７５を回転させると、各ピン７６は外方へ前進動し、このピン７６でスライダー６２を介してマグネット７１を内輪９から強制的に引き離し、スプリング７０でスライダー６２を外側へ移動させ、ギヤ歯６８を蓋６０と大径保持器４４のギヤ歯６６、６７に嵌合させた４輪駆動状態にするフェールセーフ機能が得られるようになる。
【００４７】
この発明の第２の実施形態のハブクラッチ装置は上記のような構成であり、次に、この装置を用いた車輌の走行状態について説明する。
【００４８】
２駆走行状態では、図４と図６（Ａ）に示すように、マグネット７１を内輪９に吸着させ、スプリング７０を圧縮してスライダー６２を後退位置に保持し、そのギヤ歯６８を蓋６０のギヤ歯６７から離脱させた状態にしておく。
【００４９】
この状態で車輌が前進走行すると、二方向クラッチ４１は、スプラグ５１を前進方向の、係合作動位置へ移動させる。
【００５０】
このようにスプラグ５１が係合作動位置に移行した状態では、車軸の回転数より上回った回転が外輪１３に与えられた場合、スプラグ５１は係合状態を解除し、外輪１３はフリーランニングすることができる。このため、トランスファより動力を切離された前輪車軸２には、エンジン及びタイヤの両方から駆動力が伝わらず、後輪だけの２輪走行になるため、トランスファーから前輪車軸までの駆動系を停止させることができる。
【００５１】
雪道等の摩擦係数の低い路面を４駆走行する場合は、図５のように密封された気密室６４内のエアを吸引し、スライダー６２に作用する負圧により、マグネット７１を吸着力に打ちかって内輪９から引き離し、スプリング７０の押圧力とによって該スライダー６２を外方へ移動させ、そのギヤ歯６８を、蓋６０と大径保持器４４の両ギヤ歯６６、６７にわたって噛合させる。なお、上記負圧は、切り換えに必要な時間だけとし、切り換え後は大気圧に戻す。
【００５２】
これにより、外輪１３と大径保持器４４が一体になり、大径保持器４４は外輪１３と同一方向に回転する。このため、スプラグ５１が図９のようにフリーランニングの状態にある場合でも、大径保持器４４の回転によってスプラグ５１は傾きを変えて内外輪９、１３の円筒面４２、４３に結合し、外輪１３のフリーランニングが停止する。したがって、外輪１３と前輪車軸２が直結し、前後輪が直結した４輪駆動状態になり、エンジンブレーキも前後輪で同時に効かせることができる。
【００５３】
一方、舗装道路等の摩擦係数の高い路面を４駆走行する場合は、図４のように、内側の気密室６５内のエアを吸引し、スライダー６２を後方に移動させ、マグネット７１を内輪９に吸着させることにより、ギヤ歯６８を蓋６０のギヤ歯６７から離脱させ、外輪１３と大径保持器４４を切り離した状態にする。
【００５４】
これにより、前進方向において４輪駆動となり、駆動側と従動側の回転差に応じてフリーランニング機能が作動する。
【００５５】
すなわち、車両が旋回して蛇角をもつと、前輪と後輪の旋回距離の差により、前輪に連結する外輪１３が内輪９よりも速く回転し、外輪１３がスプラグ５１に対してフリーランニングする。このため、前輪と後輪は切離されて回転し、タイトコーナでのブレーキング現象が生じない。
【００５６】
また、後輪２輪による前進走行中、後輪がスリップすると、車速の低下に伴って減速する前輪に対して前輪車軸２の回転が上回るため、スプラグ５１が内外輪９、１３に係合し、外輪１３と内輪９が一体化する。これにより、前輪に駆動力が加わり、自動的に４輪駆動に切換わる。
【００５７】
このように、第２の実施形態のハブクラッチ装置では、走行中の刻々と変わる路面の変化に幅広く対応することができ、フルタイムの４輪駆動車と同様に安定した走行を行なうことができる。
【００５８】
また、エアによるスライダー６２の駆動は、常時負圧或いは正圧の状態を保って結合部材を保持しておく必要がなく、スライダー６２の移動時に負圧又は正圧を使ってスイッチ的にエアを使用するため、エア供給源の制御構造を簡略化できると共に、ハブ部やスピンドル部等のシール部の摩耗を抑えることができる。
【００５９】
さらに、密封された気密室６４、６５に対するエアの導出入は、気密室６４、６５にエア通路を連通させることで行なうことができるため、外輪１３に孔加工をするだけで簡単に対応することができ、ナックルや等速ジョイント等に対する複雑な加工や成形を不要にすることができる。
【００６０】
次に、図１１と図１２に示す第３の実施形態を説明する。この第３の実施形態は、先に述べた第２実施形態における２駆走行と４駆走行の切り換えを行なうスライダーの操作を第２の実施形態と逆になるようにしたものであり、第２の実施形態と同一部分については同一符号を付して説明に代える。
【００６１】
第３の実施形態においては、スライダー６２と蓋６０の対向面間に該スライダー６２を内輪９側の後退位置に向けて押圧するスプリング７０を縮設すると共に、蓋６０の内面に前進位置のスライダー６２を吸着保持するマグネット７１を固定している。
【００６２】
また、蓋６０に設けたギヤ歯６７と大径保持器４４に設けたギヤ歯６６は、スライダー６２が後退位置にあるときそのギヤ歯６８が両ギヤ歯６６、６７にわたって噛合し、蓋６０と大径保持器４４を結合すると共に、スライダー６２が前進位置にあるとき、ギヤ歯６８が大径保持器４４のギヤ歯６６から離脱するように設けられている。
【００６３】
この第３の実施形態のフェールセーフ機構は、蓋６０の中央部外面に設けたねじ孔８１内にねじ板８２を螺合し、ねじ板８２を回転させることにより、蓋６０を気密状に貫通する複数のピン８３を軸方向に移動させ、マグネット７１に吸着したスライダー６２をピン８３で押圧してマグネット７１から引き離すようになっている。
【００６４】
第３の実施形態は上記のような構成であり、図１１のように、スライダー６２が前進位置にあるとき、蓋６０と大径保持器４４の結合が解かれ、２駆走行状態となり、また、図１２のように、スライダー６２が後退位置にあるとき、蓋６０と大径保持器４４は直結され、４駆走行状態となる。この２駆走行と４駆走行の切り換えは、第２の実施形態と同様、スライダー６２の両側の気密室６４、６５に負圧又は正圧を作用させればよい。
【００６５】
【発明の効果】
以上のように、この発明によると、２輪駆動状態と４輪駆動状態を圧力流体で結合部材を移動させて切り換えるハブクラッチ装置において、結合部材を移動させるために流体を給排する２つの流体通路を、軸受の内部と車軸の外周面に設けたので、通路を別途加工する必要がなく、コスト的に有利であると共に、ハブクラッチ装置全体の小径化が可能になる。
【図面の簡単な説明】
【図１】４輪駆動車に対するハブクラッチ装置の第１の実施形態を示す一部縦断面図
【図２】同上要部を拡大した４輪駆動状態の縦断面図
【図３】第２の実施形態を示す一部縦断面図
【図４】同上要部を拡大した２輪駆動状態の縦断面図
【図５】同上要部を拡大した４輪駆動状態の縦断面図
【図６】（Ａ）は切り換え部分の２輪駆動状態を示す拡大断面図、（Ｂ）は（Ａ）の矢印Ｂ−Ｂの断面図、（Ｃ）は切り換え部分の４輪駆動状態を示す拡大断面図
【図７】二方向クラッチのスプラグの部分を示す断面図
【図８】二方向クラッチのスイッチバネの部分を示す断面図
【図９】二方向クラッチのスプラグの部分を示す拡大断面図
【図１０】図３の矢印Ｘ−Ｘ部に沿う縦断面図
【図１１】ハブクラッチ装置の第３の実施形態を示す２輪駆動時の縦断面図
【図１２】同上の４輪駆動時の縦断面図
【符号の説明】
１  ハブクラッチ装置
２  前輪車軸
４  スピンドル
６、７  テーパ軸受
８  ホイールハブ
９  内輪
１３  外輪
１５  外歯歯車
１６  内歯歯車
１８  スライダー
１９  蓋
２０  スプリング
２１、２２  気密室
２３  マグネット
２７、２８  エア通路
４１  二方向クラッチ
４４  大径保持器
４５  小径保持器
５１  スプラグ
６０  蓋
６２  スライダー
６３  シールリング
６６、６７、６８  ギヤ歯
７０  スプリング
７１  マグネット
【図１】
0003565664.tif 000002
【図２】
0003565664.tif 000003
【図３】
0003565664.tif 000004
【図４】
0003565664.tif 000005
【図５】
0003565664.tif 000006
【図６】
0003565664.tif 000007
【図７】
0003565664.tif 000008
【図８】
0003565664.tif 000009
【図９】
0003565664.tif 000010
【図１０】
0003565664.tif 000011
【図１１】
0003565664.tif 000012
【図１２】
0003565664.tif 000013